(57)【要約】【課題】一のマッサージ機から取得したユーザー情報を他のマッサージ機へ引き継ぐことができる情報移行システムを提供することを目的とする。【解決手段】一のマッサージ機と、他のマッサージ機と、前記一のマッサージ機から取得されたユーザー情報を記憶する前記一のマッサージ機とは分離した記憶媒体と、前記記憶媒体から前記ユーザー情報を前記他のマッサージ機に送信する送信手段と、で構成されることを特徴とする情報移行システム。【選択図】      図１
2020000559.tif 000002
【特許請求の範囲】
【請求項１】
一のマッサージ機と、
他のマッサージ機と、
前記一のマッサージ機から取得されたユーザー情報を記憶する前記一のマッサージ機とは分離した記憶媒体と、
前記記憶媒体から前記ユーザー情報を前記他のマッサージ機に送信する送信手段と、で構成されることを特徴とする情報移行システム。
【請求項２】
前記記憶媒体は、電子媒体又はサーバーであることを特徴とする請求項１に記載の情報移行システム。
【請求項３】
前記サーバーは、ユーザーを特定するためのユーザー特定手段を有し、
前記他のマッサージ機は、
前記送信手段から送信された前記ユーザー情報を受信するための受信手段と、
ユーザーを特定するための情報を前記記憶媒体へ送信するための第二送信手段と、を有し、
前記ユーザー特定手段は、
前記第二送信手段から送信された前記ユーザーを特定するための情報を前記記憶媒体に送信する第一ステップと、
前記記憶媒体に記憶された複数のユーザー情報の中から前記第一ステップで送信された前記ユーザーを特定するための情報と対応するユーザー情報を判別する第二ステップと、
前記第二ステップで判別したユーザー情報を前記受信手段で受信する第三ステップと、で構成されていることを特徴とする請求項１又は２に記載の情報移行システム。
【請求項４】
前記ユーザー情報は、一のマッサージ機に依存する情報と、一のマッサージ機に依存しない情報と、から構成され、
前記記憶媒体内において、それぞれ別々に記憶されていることを特徴とする請求項１〜３のいずれかに記載の情報移行システム。
【請求項５】
前記一のマッサージ機に依存する情報は、前記一のマッサージ機が有するマッサージ情報を含むことを特徴とする請求項４に記載の情報移行システム。
【請求項６】
前記一のマッサージ機に依存しない情報は、前記ユーザーの生体情報を含むことを特徴とする請求項４に記載の情報移行システム。
【請求項７】
前記他のマッサージ機には、前記他のマッサージ機が有するマッサージ情報が含まれており、
前記一のマッサージ機が有するマッサージ情報と前記他のマッサージ機が有するマッサージ情報には、少なくともマッサージ動作の動作履歴が含まれており、
前記一のマッサージ機が有するマッサージ動作と、
前記他のマッサージ機が有するマッサージ動作と、を比較し、
前記一のマッサージ機が有するマッサージ動作の動作履歴を前記一のマッサージ機が有するマッサージ動作と対応する前記他のマッサージ機が有するマッサージ動作の動作履歴へ移行させる移行手段を有することを特徴とする請求項５に記載の情報移行システム。
【請求項８】
前記移行手段は、前記一のマッサージ機が有するマッサージ情報を選択して、他のマッサージ機が有するマッサージ情報へ移行させることを特徴とする請求項７に記載の情報移行システム。
【請求項９】
前記マッサージ情報は、マッサージコースであり、
前記移行手段は、前記一のマッサージ機が有するマッサージコースの動作のうち少なくとも一部を変更して、他のマッサージ機が有するマッサージコースの動作へ移行させることを特徴とする請求項７に記載の情報移行システム。
【請求項１０】
請求項１〜９のいずれかに記載された情報移行システムを備えたことを特徴とするマッサージ機。
【発明の詳細な説明】
【技術分野】
【０００１】
本発明はマッサージ機を備えた情報移行システムに関する。
【背景技術】
【０００２】
従来、マッサージ装置と、マッサージ装置を操作するコントロール装置と、施療コースに関するコース情報を記憶する記憶部と、コース情報を実行する実行部と、被施療者が所定のフィットネス動作を行うフィットネス手段と、フィットネス情報に基づいて施療コースに関するコース情報を新たに生成可能なフィットネス生成部と、コミュニケーション情報に基づいて施療コースに関するコース情報を新たに生成可能なコミュニケーション生成部を備えたマッサージシステムが知られている。（例えば、特許文献１参照。）
【先行技術文献】
【特許文献】
【０００３】
【特許文献１】特許第６２６１０３４号公報
【発明の概要】
【発明が解決しようとする課題】
【０００４】
上記特許文献１に開示されたマッサージ機は、ネットワーク上に設けられた記憶部を介して、被施療者自身が実行する施療コースを選択するものであり、一つのマッサージ機に対応付けられたマッサージシステムである。そのため、例えば、被施療者がマッサージ機を買い替えた場合には、それまで当該マッサージ機を使用することにより蓄積されてきた被施療者に関する情報（マッサージコースの履歴や生体情報など）を引き継ぐことができず、蓄積されてきた情報を有効に活用できていないという問題がある。
そこで、本発明は、上述した問題を解消するためになされたものであり、一のマッサージ機から取得したユーザー情報を他のマッサージ機へ引き継ぐことができる情報移行システムを提供することを目的とする。
【課題を解決するための手段】
【０００５】
本発明は、一のマッサージ機と、他のマッサージ機と、前記一のマッサージ機から取得されたユーザー情報を記憶する前記一のマッサージ機とは分離した記憶媒体と、前記記憶媒体から前記ユーザー情報を前記他のマッサージ機に送信する送信手段と、で構成されることを特徴とする。
このような構成とすることにより、一のマッサージ機から取得したユーザー情報を一のマッサージ機とは分離した記憶媒体を介して他のマッサージ機に送信することができるため、ユーザー情報を他のマッサージ機へ引き継ぐことができる。
【０００６】
また、前記記憶媒体は、電子媒体又はサーバーであることが好ましい。
このような構成とすることにより、使用者は電子媒体（例えば、ＵＳＢメモリ、ＳＤカード、スマートホンなど）を一のマッサージ機から他のマッサージ機に移すことにより、簡単にユーザー情報を引き継ぐことができる。また、使用者はネットワーク上に設けられたサーバーを介して、簡単にユーザー情報を一のマッサージ機から他のマッサージ機に引き継ぐことができる。
【０００７】
また、前記サーバーは、ユーザーを特定するためのユーザー特定手段を有し、前記他のマッサージ機は、前記送信手段から送信された前記ユーザー情報を受信するための受信手段と、ユーザーを特定するための情報を前記記憶媒体へ送信するための第二送信手段と、を有し、前記ユーザー特定手段は、前記第二送信手段から送信された前記ユーザーを特定するための情報を前記記憶媒体に送信する第一ステップと、前記記憶媒体に記憶された複数のユーザー情報の中から前記第一ステップで送信された前記ユーザーを特定するための情報と対応するユーザー情報を判別する第二ステップと、前記第二ステップで判別したユーザー情報を前記受信手段で受信する第三ステップと、で構成されていることが好ましい。
このような構成とすることにより、ネットワーク上に設けられたサーバーは、他のマッサージ機から送信されたユーザーを特定するための情報に基づいて、ユーザー特定手段によってユーザーを判別（特定）するための処理を行い、一のマッサージ機のユーザー情報を、ネットワークを介して他のマッサージ機へと引き継ぐことができる。
【０００８】
また、前記ユーザー情報は、一のマッサージ機に依存する情報と、一のマッサージ機に依存しない情報と、から構成され、前記記憶媒体内において、それぞれ別々に記憶されていることが好ましい。
このような構成とすることにより、記憶媒体内でユーザー情報を「一のマッサージ機に依存する情報」と「一のマッサージ機に依存しない情報」とに分けて記憶（管理）することができる。
【０００９】
また、前記一のマッサージ機に依存する情報は、前記一のマッサージ機が有するマッサージ情報を含むことが好ましい。
このような構成とすることにより、マッサージ情報は、例えば、マッサージコースの動作やマッサージコースの履歴であり、一のマッサージ機で頻繁に実行していた使用者のお気に入りのマッサージコースの動作やマッサージコースの履歴を他のマッサージ機に引き継ぐことができる。
【００１０】
また、前記一のマッサージ機に依存しない情報は、前記ユーザーの生体情報を含むことが好ましい。
このような構成とすることにより、一のマッサージ機に依存しない情報である一のマッサージ機から取得したユーザー情報としての生体情報（身長、体重、脈拍、筋肉量、体脂肪率など）を他のマッサージ機に引き継ぐことができる。
【００１１】
また、前記他のマッサージ機には、前記他のマッサージ機が有するマッサージ情報が含まれており、前記一のマッサージ機が有するマッサージ情報と前記他のマッサージ機が有するマッサージ情報には、少なくともマッサージ動作の動作履歴が含まれており、前記一のマッサージ機が有するマッサージ動作と、前記他のマッサージ機が有するマッサージ動作と、を比較し、前記一のマッサージ機が有するマッサージ動作の動作履歴を前記一のマッサージ機が有するマッサージ動作と対応する前記他のマッサージ機が有するマッサージ動作の動作履歴へ移行させる移行手段を有することが好ましい。
このような構成とすることにより、一のマッサージ機が有するマッサージ情報としてのマッサージ動作の動作履歴（例えば、使用回数や強弱など）を他のマッサージ機が有するマッサージ情報として使用することができるため、使用者の好みを他のマッサージ機に引き継ぐことができる。
【００１２】
また、前記移行手段は、前記一のマッサージ機が有するマッサージ情報を選択して、他のマッサージ機が有するマッサージ情報へ移行させることが好ましい。
このような構成とすることにより、移行させるマッサージ情報を使用者が選択することができ、例えば、使用者の選択により、一のマッサージ機とは機能の異なる他のマッサージ機へ、一のマッサージ機が有するマッサージコース動作を他のマッサージ機が有するマッサージコース動作に引き継ぐことができる。
【００１３】
また、前記マッサージ情報は、マッサージコースであり、前記移行手段は、前記一のマッサージ機が有するマッサージコースの動作のうち少なくとも一部を変更して、他のマッサージ機が有するマッサージコースの動作へ移行させることが好ましい。
このような構成とすることにより、マッサージコースの動作のうち少なくとも一部を変更することができ、例えば、一のマッサージ機とは機能の異なる他のマッサージ機へ、一のマッサージ機が有するマッサージコース動作の一部を変更し、他のマッサージ機でも使用することができるようにした上で、他のマッサージ機が有するマッサージコース動作に引き継ぐことができる。
【００１４】
また、情報移行システムを備えたマッサージ機であることが好ましい。
このような構成とすることにより、ユーザー情報を引き継ぐことができるマッサージ機を実現することができる。
【発明の効果】
【００１５】
本発明によれば、一のマッサージ機から取得したユーザー情報を他のマッサージ機へ引き継ぐことができる。
【図面の簡単な説明】
【００１６】
【図１】本発明の一実施形態に係る情報移行システムを示す全体構成図である。
【図２】図１に示す一のマッサージ機の正面斜視図である。
【図３】マッサージユニットの正面図である。
【図４】情報移行システムの構成を示す模式図である。
【図５】記憶媒体内に記憶されたユーザー情報を示す模式図である。
【図６】ユーザー特定手段によるユーザー特定のフロー図である。
【図７】マッサージ情報の移行フロー図である。
【図８】一のマッサージ機のマッサージ情報を他のマッサージ機のマッサージ情報へ移行する場合の模式図である。
【発明を実施するための形態】
【００１７】
［情報移行システムの構成］
以下、本発明の一実施形態に係る情報移行システム１の全体構成について説明する。
図１は本発明の一実施形態に係る情報移行システム１の全体構成図である。図２は図１に示す一のマッサージ機１０の正面斜視図である。図３はマッサージユニット６の正面図である。図４は情報移行システム１の構成を示す模式図である。なお、以下の説明で用いる方向の概念は、図２に示す一のマッサージ機１０を使用する使用者から見た時の方向の概念と一致するものとし、その他の場合は適宜説明するものとする。また、身体の表裏の定義については、起立した使用者の胸側を「表面」、背中側を「背面」として説明する。
【００１８】
図１に示すとおり、本発明の一実施形態に係る情報移行システム１は、使用者をマッサージする一のマッサージ機１０と、使用者をマッサージする他のマッサージ機３０と、前記一のマッサージ機１０から取得したユーザー情報Ｕを記憶する前記一のマッサージ機１０とは分離した記憶媒体Ｂと、前記記憶媒体Ｂから前記ユーザー情報Ｕを前記他のマッサージ機３０に送信する送信手段２２と、で構成されている。
前記記憶媒体Ｂは、例えば、ＵＳＢメモリＢ３やＳＤカードＢ４といったネットワーク２を必要としない電子媒体Ｂ１で構成されている。また、スマートホンＢ５やネットワーク２上に設けられたサーバーＢ２といったネットワーク２を必要とする電子媒体である。ネットワーク２は、例えば、インターネット網などである。
【００１９】
[マッサージ機の構成]
一のマッサージ機１０と他のマッサージ機３０は、同様の構成のため、一のマッサージ機１０を例に説明する。
図１〜図４に示すとおり、一のマッサージ機１０は、使用者が着座する座部１１と、この座部１１に着座した使用者の上半身を後方から支持する背凭れ部１２とを有している。座部１１の左右位置にはアームレスト１３を有し、座部１１の前部にはフットレスト１４を有している。また、一のマッサージ機１０は、使用者に対してマッサージを行うマッサージ部１５と、一のマッサージ機１０の各種動作を制御する制御部１６と、使用者に各種操作を行わせるコントローラ１７と、を有している。
【００２０】
マッサージ部１５として、モータＭ１〜Ｍ３により駆動される左右で対をなす施療子６２を有するマッサージユニット６、エアの給排気により膨張収縮するエアセル２０、及びモータにより駆動されるバイブレータ２１のうち、少なくとも１つを有している。本実施形態では、背凭れ部１２にマッサージユニット６が設けられ、座部１１にエアセル２０とバイブレータ２１が設けられ、アームレスト１３やフットレスト１４にエアセル２０が設けられているが、各マッサージ部１５の配置はこれに限定されない。エアセル２０は、エアを給排気することで使用者を押圧することができる。バイブレータ２１は、偏心分銅が回転することで使用者に振動を与えることができる。
【００２１】
［マッサージユニットの構成］
図３に示すとおり、背凭れ部１２には、使用者の上半身を後方（背面）からマッサージするマッサージユニット６が設けられている。このマッサージユニット６は、左右で対をなすアーム６１と、アーム６１の上下両端部に設けられた施療子６２と、により構成されており、マッサージモータＭ１の駆動により左右の施療子６２が近接離反する揉みマッサージ、及びマッサージモータＭ２の駆動により左右の施療子６２が交互に使用者側へ進退する叩きマッサージを行わせることができる。また、マッサージユニット６は、昇降モータＭ３の駆動により身長方向に沿って上方又は下方へ移動して、身体に対する位置を変更したり、ローリングマッサージを行わせたりすることができる。背凭れ部１２には、身長方向に延設された左右で対をなすガイドレール１８（図２参照）が設けられており、マッサージユニット６はガイドレール１８に沿って移動する。マッサージユニット６が身長方向に移動可能であるため、使用者の首から腰の間を施療子６２でマッサージすることができる。
【００２２】
図３に示すとおり、マッサージユニット６は、ベースフレーム６０ａと、ベースフレーム６０ａに支持された可動フレーム６０ｂと、を有している。ベースフレーム６０ａは、その左右両側においてガイドレール１８に嵌合するガイドローラ６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル等よりなる進退駆動部６５が設けられている。進退駆動部６５の駆動により、可動フレーム６０ｂは揺動軸６４を中心として使用者に対して進退することができる。なお、可動フレーム６０ｂを進退させる構造でなくてもよく、アーム６１に進退駆動部６５を設けてアーム６１のみを進退させる構造であってもよい。
【００２３】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２４】
アーム６１は、前後方向に揺動自在であり、上側の施療子６２が前方へ突出するようにバネ等よりなる付勢手段（図示せず）により付勢されている。また、マッサージユニット６は、使用者の身体情報を検出するセンサ６９を有している。このセンサ６９は、アーム６１が所定の揺動位置となったことを検出することで身体情報を得ることができる。具体的に説明すると、マッサージユニット６を身長方向に沿って上昇させる過程で、上側の施療子６２が肩の上方に到達すると、施療子６２に作用する負荷が解除されて、付勢手段（図示せず）の作用によりアーム６１が前方へ揺動して所定の揺動位置となる。アーム６１が所定の揺動位置となったことをセンサ６９が検出し、その際のマッサージユニット６の上下位置に基づいて肩の位置を検出する。肩の位置を基準として、その他の部位（首、背中、腰等）の位置を計算により求める。検出された身体情報は後述する制御部１６によって後述する記憶部１９に記憶される。なお、身体情報は使用者自身が入力してもよい。この場合、例えば、コントローラ１７を操作して使用者の身長情報等の身体情報を入力し、制御部１６によって記憶部１９に記憶させることができる。
【００２５】
［制御部の構成］
図４に示すとおり、制御部１６は、プログラマブルなマイコン等を有しており、マッサージ部１５を駆動制御する。制御部１６には、マッサージユニット６を構成する各モータＭ１〜Ｍ３と進退駆動部６５とセンサ６９、マッサージユニット６やエアセル２０やバイブレータ２１等で構成されたマッサージ部１５、ユーザー情報Ｕを記憶する記憶部１９、記憶媒体Ｂからのユーザー情報Ｕを受信するための受信手段２５、ユーザー情報Ｕを記憶媒体Ｂに送信するための第二送信手段２３が電気的に接続されている。
一のマッサージ機１０は、記憶部１９に記憶された予め定められたプログラム（マッサージコース）に従って動作する他、使用者によるコントローラ１７からの指示に従って動作する。
【００２６】
図２に示すとおり、アームレスト１３の上部には、コントローラ１７が備えられている。コントローラ１７でマッサージ部１５によるマッサージ動作を操作することができる。コントローラ１７は、使用者が着座した状態で操作できるように備えられている。コントローラ１７は、ユーザー情報を特定するための情報を入力するための入力手段、又は、マッサージ動作を選択するための選択手段としての機能を有している。
【００２７】
［記憶媒体の構成］
図４に示すとおり、記憶媒体Ｂは、一のマッサージ機１０とは分離して構成されている。記憶媒体Ｂは、一のマッサージ機１０から送信されたユーザー情報Ｕを受信するための受信手段２４と、ユーザー情報Ｕが記憶された記憶部９と、ユーザー情報Ｕを他のマッサージ機３０へ移行させるための移行手段８と、移行手段８から送られたユーザー情報Ｕを他のマッサージ機３０へ送信する送信手段２２と、から構成されている。なお、移行手段８は、一のマッサージ機１０から取得したユーザー情報Ｕを他のマッサージ機３０にも対応させることができるよう必要に応じてユーザー情報Ｕを加工するものである。
【００２８】
記憶媒体Ｂは、ネットワーク２を必要としない電子媒体Ｂ３、Ｂ４、又は、ネットワーク２を必要とする電子媒体Ｂ２、Ｂ５のどちらであってもよい。ネットワーク２を必要としない電子媒体とは、例えば、ＵＳＢメモリＢ３やＳＤカードＢ４といった持ち運び可能な電子媒体である。また、ネットワーク２を必要とする電子媒体とは、例えば、スマートホンＢ５やネットワーク２上に設けられたサーバーＢ２といったネットワークを使用する電子媒体である。なお、本実施例では、電子媒体Ｂは、ネットワーク２を必要とするネットワーク上に設けられたサーバーＢ２を例に説明する。
【００２９】
［ユーザー情報の構成］
図５に示すとおり、ユーザー情報Ｕは、記憶媒体Ｂ内に設けられた記憶部９に記憶される。ユーザー情報Ｕは、一のマッサージ機１０に依存する情報Ｕ１と、一のマッサージ機１０に依存しない情報Ｕ２と、から構成され、それぞれ別々に記憶されている。一のマッサージ機１０に依存する情報Ｕ１とは、例えば、一のマッサージ機１０におけるマッサージ情報Ａ１としてのマッサージコースやマッサージコースの動作履歴（使用回数）、マッサージ動作内容など、一のマッサージ機１０が有する固有の情報のことである。なお、一のマッサージ機１０に依存する情報は、上述のものには限られない。一のマッサージ機１０が有する固有の情報であればよい。また、一のマッサージ機１０に依存しない情報Ｕ２とは、例えば、使用者の脈拍や身長、体重といった使用者個人の生体情報のことであり、一のマッサージ機１０以外にも流用可能な情報のことである。なお、一のマッサージ機１０に依存しない情報は、上述のものには限られない。一のマッサージ機１０に流用可能な使用者個人の生体情報であればよい。
【００３０】
［一のマッサージ機の受信手段の構成］
一のマッサージ機１０の受信手段２５について説明する。図４に示すとおり、一のマッサージ機１０の受信手段２５は、記憶媒体Ｂの送信手段２２から送信されたユーザー情報Ｕを受信する。一のマッサージ機１０が受信するユーザー情報Ｕは２つある。１つは、一のマッサージ機１０の第二送信手段２３から送信された使用者のユーザー情報Ｕである。もう１つは、他のマッサージ機３０の第二送信手段２３から送信された使用者のユーザー情報Ｕである。前者は、同じ一のマッサージ機１０を繰り返し使用するたびに取得されるユーザー情報Ｕであり、後者は、他のマッサージ機３０で使用した際に取得したユーザー情報Ｕを一のマッサージ機１０に送信するユーザー情報Ｕである。
【００３１】
具体的には、一のマッサージ機１０は、使用者が一のマッサージ機１０を使用するたびにユーザー情報Ｕの１つである生体情報（例えば、脈拍）を測定器（図示せず）で取得する。取得された生体情報は、取得されるたびに、又は、定期的に一のマッサージ機１０に設けられた第二送信手段２３を介して記憶媒体Ｂに送信され記憶される。記憶媒体Ｂに記憶された生体情報は、記憶媒体Ｂの送信手段２２から一のマッサージ機１０の受信手段２５に送信される。そうすることで、一のマッサージ機１０で取得した生体情報は定期的に更新されることとなり、常に使用者の最新の生体情報を把握することができる。なお、本実施例においては、ユーザー情報Ｕとして生体情報の場合を説明したが、ユーザー情報Ｕはマッサージ情報であってもよい。
【００３２】
［記憶媒体の受信手段の構成］
記憶媒体Ｂの受信手段２４について説明する。図４に示すとおり、記憶媒体Ｂの受信手段２４は、一のマッサージ機１０から送信されたユーザー情報Ｕと他のマッサージ機３０から送信されたユーザー情報Ｕを受信する。受信されたユーザー情報Ｕは、記憶媒体Ｂ内に設けられた記憶部９に記憶される。そうすることで、記憶媒体Ｂ内に設けられた記憶部９には、常に使用者の最新のユーザー情報Ｕが記憶される。
【００３３】
［第二送信手段の構成］
一のマッサージ機１０の第二送信手段２３について説明する。図４に示すとおり、一のマッサージ機１０の第二送信手段２３は、一のマッサージ機１０で取得したユーザー情報Ｕを記憶媒体Ｂに送信する。具体的には、一のマッサージ機１０は、使用者が一のマッサージ機１０を使用するたびにユーザー情報Ｕの１つである生体情報（例えば、脈拍）を測定器（図示せず）で取得する。取得された生体情報は、取得されるたびに、又は、定期的に一のマッサージ機１０に設けられた第二送信手段２３を介して記憶媒体Ｂに送信され記憶される。記憶媒体Ｂに記憶された生体情報は、記憶媒体Ｂの送信手段２２から一のマッサージ機１０の受信手段２５に送信される。そうすることで、一のマッサージ機１０で取得した生体情報は定期的に更新されることとなり、常に使用者の最新のユーザー情報Ｕを把握することができる。なお、本実施例においては、ユーザー情報Ｕとして生体情報の場合を説明したが、ユーザー情報Ｕはマッサージ情報であってもよい。
【００３４】
［移行手段の構成］
移行手段８は、ユーザー情報Ｕを一のマッサージ機１０から他のマッサージ機３０へ移行させる際に、ユーザー情報Ｕを他のマッサージ機３０へ適用させることができるようにユーザー情報Ｕを加工するためのものである。具体的には、加工するユーザー情報Ｕは、一のマッサージ機１０に依存するユーザー情報Ｕ１（一のマッサージ機１０が有する固有の情報）である。つまり、本来であれば、他のマッサージ機３０へ適用させることができないマッサージ情報Ａである。移行手段８は、一のマッサージ機１０に依存する情報Ｕ１（マッサージ情報Ａ１）を他のマッサージ機３０へ移行させる際、他のマッサージ機３０へ適用させることができるようマッサージ情報Ａ１を加工する。マッサージ情報Ａ１の加工とは、例えば、マッサージコースの動作内容の一部変更など、一のマッサージ機１０が有するマッサージ情報Ａ１に何らかの修正を加えたものを指す。
【００３５】
［ユーザー特定フロー］
図６は、ユーザー特定手段によるユーザー特定のフロー図である。使用者を特定するユーザー特定フローについて説明する。
まず、他のマッサージ機３０を使用する使用者は、これまで一のマッサージ機１０で使用した使用者自身のユーザー情報Ｕを特定するために、他のマッサージ機３０から記憶媒体Ｂへユーザーを特定するための情報を送信する第一ステップを実行する（Ｓ−１）。送信されたユーザーを特定するための情報に基づき、記憶媒体Ｂ内に設けられた記憶部９は、記憶された複数のユーザー情報Ｕの中から第一ステップで送信されたユーザーを特定するための情報と対応するユーザー情報Ｕを判別する第二ステップ（ユーザー特定処理）を開始する（Ｓ−２）。ユーザー特定処理は、一のマッサージ機１０に依存するユーザー情報Ｕ１と一のマッサージ機１０に依存しないユーザー情報Ｕ２とを判別する（Ｓ−３、Ｓ−４）。一のマッサージ機１０に依存するユーザー情報Ｕ１と一のマッサージ機１０に依存しないユーザー情報Ｕ２を判別することができればどちらのユーザー情報Ｕ１、Ｕ２から判別を開始してもよい。
なお、本実施例においては、一のマッサージ機１０に依存するユーザー情報Ｕ１を判別（Ｓ−３）した後に一のマッサージ機１０に依存しないユーザー情報Ｕ２を判別（Ｓ−３）している。
【００３６】
判別が終わると、ユーザーとユーザー情報Ｕの照合を行う（Ｓ−５）。照合した内容が一致するとユーザー特定処理は終了する（Ｓ−６）。記憶媒体Ｂは、第二ステップによって判別したユーザー情報Ｕを送信手段２２から他のマッサージ機３０の受信手段２５へ送信する（Ｓ−７）。送信されたユーザー情報Ｕは、第二ステップで判別したユーザー情報Ｕを受信手段２５で受信する第三ステップを実行する（Ｓ−８）。なお、照合した内容が不一致の場合には、再度ユーザーとユーザー情報Ｕの照合を行うかどうか選択することができる（Ｓ−９）。再照合を実行する場合には、一のマッサージ機１０に依存するユーザー情報Ｕ１と一のマッサージ機１０に依存しないユーザー情報Ｕ２の判別を再び行う（Ｓ−３、Ｓ−４）。再照合を実行しない場合には、ユーザーを特定することなく、ユーザー特定処理が終了する（Ｓ−１０）。
【００３７】
図７は、マッサージ情報Ａの移行フロー図である。図８は、一のマッサージ機１０のマッサージ情報Ａ１を他のマッサージ機３０のマッサージ情報Ａ２へ移行する場合の模式図である。一のマッサージ機１０のマッサージ情報Ａ１を他のマッサージ機３０のマッサージ情報Ａ２へ移行する場合について、図７、図８に基づき、説明する。
【００３８】
なお、ここでいう「対応する」とは、マッサージ情報Ａ２とマッサージ情報Ａ１の内容が全く同一（例：マッサージ情報Ａ２「ストレッチコース」、マッサージ情報Ａ１「ストレッチコース」）のものである場合やマッサージ情報Ａ２とマッサージ情報Ａ１の内容に一部違いはあるものの目的とする効果が同じ（例：マッサージ情報Ａ２「おやすみコース（目的：身体の末端まで血流を促進させ、身体のリラックスを図る）」、マッサージ情報Ａ１「遠心コース（目的：身体の末端まで血流を促進させ、身体のリラックスを図る）」）ものである場合を指す。
【００３９】
また、マッサージ機１０、３０内の記憶部において、マッサージ情報Ａ１、Ａ２（例：マッサージコース）をあらかじめ所定のカテゴリー別に分類しておき、対応関係を判別する際に、そのカテゴリーに含まれるかどうかを判別し、含まれる場合を「対応する」、含まれない場合を「対応しない」としてもよい。
【００４０】
まずは、他のマッサージ機３０から記憶媒体Ｂへ、一のマッサージ機１０が有するマッサージ情報Ａ１の呼び出しを行うために、他のマッサージ機３０が有するマッサージ情報Ａ２を送信する（Ｓ−１）。他のマッサージ機３０から送信されたマッサージ情報Ａ２は、ネットワーク２を介して記憶媒体Ｂへ送信される。記憶媒体Ｂは、送信されたマッサージ情報Ａ２と対応するマッサージ情報Ａ１との照合を開始する（Ｓ−２）。
【００４１】
なお、（Ｓ−２）においては、マッサージ情報Ａ１、Ａ２の照合を記憶媒体Ｂで行う構成としているが、マッサージ情報Ａ１、Ａ２の照合は、他のマッサージ機３０で行うようにしてもよい。その場合は、記憶媒体Ｂは、マッサージ情報Ａ２を受信後にマッサージ情報Ａ１に関する全ての情報を他のマッサージ機３０へ送信し、他のマッサージ機３０は、送信されたマッサージ情報Ａ１と対応するマッサージ情報Ａ２の照合を行う。
照合されると、移行手段８による移行が開始される（Ｓ−３）。また、対応するマッサージ情報Ａ１、Ａ２が照合されなかった場合（マッサージ情報Ａ２とマッサージ情報Ａ１の内容が全く同一のものがなかった場合やマッサージ情報Ａ２とマッサージ情報Ａ１の内容に一部違いはあるものの目的とする効果が同じものがなかった場合）には、移行手段８による移行は行われず、終了する（Ｓ−９）。
【００４２】
移行手段８による移行が開始される（Ｓ−３）と、ユーザー情報Ｕの判別が行われる（Ｓ−４〜Ｓ−６）。一のマッサージ機１０に依存するユーザー情報Ｕ１（具体的には、マッサージ情報Ａ１）と一のマッサージ機１０に依存しないユーザー情報Ｕ２（具体的には、生体情報）を判別することができればどちらのユーザー情報Ｕ１、Ｕ２から判別を開始してもよく、一のマッサージ機１０に依存するユーザー情報Ｕ１を判別した後に一のマッサージ機１０に依存するユーザー情報Ｕ１の加工を行うステップがあればよい。
なお、本実施例においては、一のマッサージ機１０に依存するユーザー情報Ｕ１の判別（Ｓ−４）した後に、一のマッサージ機１０に依存するユーザー情報Ｕ１の加工（Ｓ−５）をする。その後、一のマッサージ機１０に依存しないユーザー情報Ｕ２を判別（Ｓ−６）している。
【００４３】
ユーザー情報Ｕの判別が終わると、ユーザーが特定される。その後、ユーザーは、マッサージ情報Ａを選択する（Ｓ−７）か、マッサージ情報Ａを変更する（Ｓ−８）かのどちらかを行う。マッサージ情報Ａの選択は、他のマッサージ機３０に、一のマッサージ機１０が有するマッサージ情報Ａ１と対応するマッサージ情報Ａ２がある場合に用いられる。
例えば、一のマッサージ機１０にマッサージコース「ストレッチコース（使用回数：１５回）」があり、他のマッサージ機３０にマッサージコース「ストレッチコース（使用回数：０回）」がある場合について説明する。まず、一のマッサージ機１０が有する「ストレッチコース（使用回数：１５回）」と他のマッサージ機３０が有する「ストレッチコース（使用回数：０回）」について、対応するものであるかどうかの判別が行われる。対応関係にあると判別すると、一のマッサージ機１０の「ストレッチコース（使用回数：１５回）」の使用回数を、そのまま他のマッサージ機３０の「ストレッチコース（使用回数：０回）」の使用回数へ動作履歴の引き継ぎを行う。つまり、他のマッサージ機３０の「ストレッチコース（使用回数：１５回）」とする。そうすることで、ユーザー情報Ｕ（具体的には、マッサージ情報Ａ１）を他のマッサージ機３０のユーザー情報Ｕ（具体的には、マッサージ情報Ａ２）として引き継ぐことができる。
【００４４】
また、マッサージ情報Ａの変更は、マッサージ情報Ａ２とマッサージ情報Ａ１の内容に一部違いはあるものの目的とする効果が同じ場合に用いられる。具体的には、マッサージ情報Ａ２が有する「マッサージの強弱」とマッサージ情報Ａ１が有する「マッサージの強弱」が異なる場合などである。
例として、一のマッサージ機１０が有する「マッサージの強弱」は１〜５の５段階であり、他のマッサージ機３０が有する「マッサージの強弱」は、１〜３の３段階である場合を説明する。また、一のマッサージ機１０が有するマッサージコース「求心コース（強弱：２）」と、他のマッサージ機３０が有するマッサージコース「おはようコース（強弱：未設定）」は、対応する関係である場合について説明する。
【００４５】
まず、一のマッサージ機１０が有する「求心コース（強弱：２）」と他のマッサージ機３０が有する「おはようコース（強弱：未設定）」の対応関係についての判別が行われる。対応すると判別すると、一のマッサージ機１０の「求心コース（強弱：２）」のマッサージの強弱を他のマッサージ機３０の「おはようコース（強弱：未設定）」のマッサージの強弱へと、マッサージの強弱の引き継ぎを開始する。しかし、一のマッサージ機１０のマッサージの強弱（１〜５）と他のマッサージ機３０のマッサージの強弱（１〜３）とでは、強弱の段階に差があるため、そのままでは、引き継ぎを行うことができない。つまり、一のマッサージ機１０のマッサージの強弱が４の場合、他のマッサージ機３０のマッサージの強弱を２とするのか３とするのかが、引き継ぎの際にわからなくなってしまう。そのため、移行手段８を介することで、マッサージの強弱を引き継ぐことができるように加工（変更）を行う。
【００４６】
具体的には、移行手段８において、あらかじめマッサージの強弱を複数のカテゴリーに分類しておくことで対応することができる。例えば、マッサージの強弱について、「１０段階の場合：１〜３（弱）、４〜７（中）、８〜１０（強）」の３つのカテゴリーとし、「５段階の場合：１・２（弱）、３（中）、４・５（強）」の３つのカテゴリーとし、「３段階の場合：１（弱）、２（中）、３（強）」とする。
そうすることで、一のマッサージ機１０と他のマッサージ機３０とで、マッサージの強弱の段階が異なっていた場合であっても、移行手段８によって、（弱・中・強）のいずれに相当するのかを自動的に判別し、加工（変更）することで、引き継ぐことができる。
そうすることで、一のマッサージ機１０が有するマッサージ情報Ａ１を他のマッサージ機３０が有するマッサージ情報Ａ２へ引き継ぐことができる。
なお、マッサージ情報Ａであれば、どのような情報であってもよく、移行手段８によるマッサージ情報の変更はマッサージの強弱には限られない。
【産業上の利用可能性】
【００４７】
本発明は、一のマッサージ機から取得したユーザー情報を他のマッサージ機へ引き継ぐことができる情報移行システムに適用できる。
【符号の説明】
【００４８】
１０  一のマッサージ機
３０  他のマッサージ機
Ｂ  記憶媒体
２２  送信手段
【図１】
2020000559.tif 000003
【図２】
2020000559.tif 000004
【図３】
2020000559.tif 000005
【図４】
2020000559.tif 000006
【図５】
2020000559.tif 000007
【図６】
2020000559.tif 000008
【図７】
2020000559.tif 000009
【図８】
2020000559.tif 000010